(57)【要約】      （修正有）【課題】改善された液体食器洗浄剤製品およびプラスチックボトルを提供すること。【解決手段】１５０ｍｌ〜２２５ｍｌの液体食器洗浄剤組成物を含むプラスチック容器２で、４１ｍｍ〜６１ｍｍ、好ましくは４６ｍｍ〜５８ｍｍの最大直径を有し、ボトル３の壁が、前記本体部分１５の周囲ミッドクォーター区画２０にて、前記縦軸１０に直交して、測定した、０．２ｍｍ〜０．５ｍｍの、最小厚を有し、ミッドクォーター区画２０にて前記最小厚を有する前記ボトル３の壁に均一で３６０度の一定したボトル押込み領域を有する。【選択図】図１
2018008751.tif 000002
【特許請求の範囲】
【請求項１】
液体食器洗浄剤製品であって、
１５０ｍｌ〜２２５ｍｌの液体食器洗浄剤組成物を含むプラスチック容器を備え、
前記容器が、開口を有するボトルを含み、エンクロージャが前記ボトルに付けられ、前記開口と流体連通し、前記開口は再密封可能な開口部を含み、該再密封可能な開口部は、開いた時に、含まれた液体食器洗浄剤組成物を通して分配するように構成され、
前記プラスチック容器は縦軸を有し、
前記ボトルと前記エンクロージャはそれぞれ、前記縦軸を中心に、放射対称性を有し、
前記ボトルは、４１ｍｍ〜６１ｍｍ、好ましくは４６ｍｍ〜５８ｍｍの最大直径を有し、
前記ボトルは、基底部分、本体部分及びネック部分を有し、
前記本体部分は、前記基底部分と前記ネック部分との間に介装され、前記ネック部分が、前記エンクロージャが取り囲む前記開口を定義し、
ボトル高さが、前記縦軸に沿って（エンクロージャなしで）、前記基底部分から前記開口まで測定した最も長い寸法であり、
ボトル壁が、前記本体部分の周囲ミッドクォーター区画にて、前記縦軸に直交して、測定した、０．２ｍｍ〜０．５ｍｍの、最小厚を有し、前記周囲ミッドクォーター区画は、前記縦軸にそれぞれ直交する、上平面、周囲縦中点、および下平面を有するように構成され、
前記縦軸にそれぞれ直交する、前記上平面、前記周囲縦中点、および前記下平面は、前記縦軸を中心に前記放射対称性を有し、該放射対称性は、前記周囲ミッドクォーター区画にて前記最小厚を有する前記ボトル壁に均一で３６０度の一定したボトル押込み領域を提供することを特徴とする液体食器洗浄剤製品。
【請求項２】
前記液体食器洗浄剤組成物および前記エンクロージャの両方を持たない前記ボトルが、１８ｇ〜２５ｇの質量を有することを特徴とする請求項１に記載の液体食器洗浄剤製品。
【請求項３】
前記ボトルが、１３５ｍｍ〜１６５ｍｍ（エンクロージャを持たない）の高さを有することを特徴とする請求項１又は２に記載の液体食器洗浄剤製品。
【請求項４】
前記エンクロージャが、プッシュプルキャップであり、好ましくは前記プッシュプルキャップの再密封可能な開口部の直径が、前記縦軸に直交して測定して、２．０ｍｍ〜２．４ｍｍであることを特徴とする請求項１から３のいずれか１項に記載の液体食器洗浄剤製品。
【請求項５】
前記ボトル壁の前記最小厚が、０．３２ｍｍ〜０．３８ｍｍであることを特徴とする請求項１から４のいずれか１項に記載の液体食器洗浄剤製品。
【請求項６】
１９０ｍｌ〜２２５ｍｌの液体食器洗浄剤組成物を含むように構成されるプラスチックボトルであって、
ボトルが縦軸を有し、前記縦軸を中心に放射対称性を有し、４１ｍｍ〜６１ｍｍの最大直径を有し、
前記ボトルは、基底部分、本体部分およびネック部分を有し、
前記本体部分は、前記基底部分と前記ネック部分との間に介装され、前記ネック部分が、前記ボトルの内部への開口部を定める開口を定義し、
ボトル高さが、前記縦軸にそって、前記基底部分から前記開口まで測定した最も長い寸法であり、１３５ｍｍ〜１６５ｍｍであり、
ボトル壁が、前記本体部分の周囲ミッドクォーター区画にて、前記縦軸に直交して、測定した、０．３ｍｍ〜０．４ｍｍの、最小厚を有し、前記周囲ミッドクォーター区画は、前記縦軸にそれぞれ直交する、上平面、周囲縦中点、および下平面を有するように構成され、
前記縦軸にそれぞれ直交する、前記上平面、前記周囲縦中点、および前記下平面は、前記縦軸を中心に前記放射対称性を有し、該放射対称性は、前記周囲ミッドクォーター区画にて前記最小厚を有する前記ボトル壁に均一で３６０度の一定したボトル押込み領域を提供することを特徴とするプラスチックボトル。
【請求項７】
前記ボトルのプラスチックが、ポリエチレンテレフタレート（ＰＥＴ）を含み、内容物及びエンクロージャを持たない前記ボトルは、１８ｇ〜２５ｇの質量を有することを特徴とする請求項６に記載のプラスチックボトル。
【発明の詳細な説明】
【技術分野】
【０００１】
本発明は、液体食器洗浄剤を含むように構成されたボトルを指向する。
【背景技術】
【０００２】
（食器を手動で洗浄するための）液体食器洗浄剤は、それを含むボトルとともに、よく公知である。しかしながら、ユーザー、とりわけ違いが分かる消費者に、費用効果の高い品質体験を提供することの連続した必要性が存在する。
【発明の概要】
【課題を解決するための手段】
【０００３】
本発明は、ボトルの「押込み性」が、食器洗浄剤製品カテゴリーにおける特定の消費者セグメントに対して、鍵となる品質パラメータである、という驚くべき発見に基づいている。本発明は、（同一の量のプラスチックを含む）同一のボトルプリフォームを維持する一方で、より濃縮された形態の液体食器洗浄剤を提供するために、食器洗浄剤性製品の全体の大きさを小さくするための研究に基づいている。よりプラスチック性を有するボトルを提供することにおける、潜在的な負の影響を評価する消費者調査で、消費者が、全製品に対する品質体験における増加として、ボトルから洗浄剤を投与する時に、（とりわけ市販されている製品と比較して、ボトルの壁厚が厚い、またはより小さなボトル半径に起因する）結果として生じるより大きな「押込み力」を解釈するということが驚くべきことに観察された。調査はさらに、消費者が、その親指を使用して、ボトルを押し圧し、一方で他の指を制御のために使用することを示唆する。調査は、本明細書で記述した本発明者に、多数の可能性のある利点を提供する。
【０００４】
本発明の１つの利点は、とりわけ洗浄剤の濃縮形態を提供する場合に、液体食器洗浄剤が少ないボトルを有することである（例えば、既存の２５０ｍｌ実施と比較して）。
【０００５】
本発明の他の利点は、約２００ｍｌの液体食器洗浄剤を含むように構成された以上で同定された特徴を提供するボトルを有することである。
【０００６】
本発明のまた他の利点は、（種々のユーザーの手の大きさ、および分配スタイルに適合するように）望む押込み性範囲を提供する、ボトルの本体において、比較的広い面積を有することである。
【０００７】
本発明のまた他の利点は、増粘剤／構造剤、および他のレオロジー改変剤の利用を最小化する、液体食器洗浄剤製品における、以上で同定した特徴を有することである。
【０００８】
本発明のまた他の利点は、ユーザーがボトルを押し圧するために放出する際、乱雑状態が少ない食器洗浄剤製品（例えば調剤キャップなどから液だれする洗浄剤など）を提供することであり、ボトル内に、分配されていない洗浄剤組成物を戻すために、ボトル内に作製されたより迅速および／またはより強制的な真空が存在する。
【０００９】
本発明のまた他の利点は、ユーザーの好む投与経験を有する、食器洗浄剤製品を提供する。
【００１０】
本発見に基づいて、本発明の１つの態様は、１５０ｍｌ〜２２５ｍｌの液体食器洗浄剤組成物を含む、プラスチック容器を含む液体食器洗浄剤製品を提供し、前記容器は、開口を有するボトルを含み、エンクロージャが、ボトルに付けられ、開口と流体連通し、前記エンクロージャが、再密封可能開口部を含み、該再密封可能開口部は、開いた時に、含まれた食器洗浄剤組成物をそれを通して分配するように構成され、前記プラスチック容器は、縦軸を有し、ボトルとエンクロージャはそれぞれ、前記縦軸を中心に、放射対称性を有し、前記ボトルが、４１ｍｍ〜６１ｍｍ、好ましくは４６ｍｍ〜５８ｍｍの最大直径を有し、ボトルは下基底部分、本体部分、上ネック部分を有し、前記本体部分は、基底部分とネック部分との間に介装され、ネック部分は、前記エンクロージャが取り囲む前記開口を定義し、ボトルの高さは、縦軸に沿って、（エンクロージャなしで）基底部分から開口まで測定された最も長い寸法であり、ボトル壁は、本体部分の周囲ミッドクォーター区画にて、縦軸に直交して、測定した、０．２ｍｍ〜０．５ｍｍ、好ましくは０．３ｍｍ〜０．４ｍｍの最小厚を有する。
【００１１】
本発明の他の態様は、１９０ｍｌ〜２２５ｍｌの液体食器洗浄剤組成物を含むように構成されたプラスチックボトルを提供し、本ボトルは、縦軸を有し、縦軸を中心に放射対称性を有し、ボトルは、４１ｍｍ〜６１ｍｍ、好ましくは４６ｍｍ〜５８ｍｍの最大直径を有し、ボトルは、下基底部分、本体部分および上ネック部分を有し、本体部分は、基底部分とネック部分との間に介装され、ネック部分が、ボトルの内部に対する開口部を定める開口を定義し、ボトル高さが、縦軸に沿って、基底部分から開口までで測定された最も長い寸法であり、１３５ｍｍ〜１６５ｍｍ、好ましくは１４０ｍｍ〜１６０ｍｍであり、ボトル壁は、本体部分の周囲ミッドクォーター区画にて、縦軸に直交して、測定した、０．３ｍｍ〜０．４ｍｍ、好ましくは０．３２ｍｍ〜０．３８ｍｍの最小厚を有する。
【００１２】
本発明のまた他の態様は、本発明の液体洗浄剤製品のボトルの外面を手動で押し圧することを含む、液体食器洗浄剤組成物を投与する方法を提供する。
【図面の簡単な説明】
【００１３】
【図１】図１は、本発明の食器洗浄剤製品の一実施形態の透視図である。
【図２】図２は、図１の食器洗浄剤製品のボトルの正面図である。
【図３ａ】親指押込み力または平均親指押込み力（「ＡＴＳＦ」）査定のために調製したジグと、ジグ内で受領された（図１および２の）ボトルの図である。
【図３ｂ】親指押込み力または平均親指押込み力（「ＡＴＳＦ」）査定のために調製したジグと、ジグ内で受領された（図１および２の）ボトルの図である。
【図３ｃ】親指押込み力または平均親指押込み力（「ＡＴＳＦ」）査定のために調製したジグと、ジグ内で受領された（図１および２の）ボトルの図である。
【図４】ボトルの親指押込み力またはＡＴＳＦを査定するための、ローディングプローブである。
【図５】図３ａ、３ｂおよび３ｃごとのジグにて受領されたボトルの、親指押込み力またはＡＴＳＦを査定している、図４のローディングプローブのセットアップである。
【図６】親指押込み力と、食器洗浄剤製品を押し圧する簡便さの消費者格付けを相関させている、消費者パネルデータである。
【図７】親指押込み力と、食器洗浄剤製品を投与する簡便さの消費者格付けを相関させている、消費者パネルデータである。
【発明を実施するための形態】
【００１４】
本発明のボトルは、プラスチック、好ましくは熱可塑性、より好ましくは、ポリエチレンテレフタレート（ＰＥＴ）のようなｐｏｌｙｏｌｅｆｉｎ（ポリオレフィン）からなる。プラスチックには、再利用材料及び／または生体由来材料が含まれてよい。好ましくは、プラスチックは、透明であるか、半透明であり、それによってユーザーが、ボトルの中身を見ることが出来る。もちろん、不透明ボトルも使用されてよい。ブランディング及び他の情報が、ラベルまたはシュリンクスリーブ、または他の公知の方法によって提供されうる。ボトルは、望む形状に熱可塑性を成型することから作製される。１つの実施形態において、プレフォームがプラスチックから成型され、ついでプレフォームが、最終ボトルに、ストレッチブロー成型される。また他の実施形態において、プレフォームは、１８ｇ〜２５ｇ、好ましくは１９ｇ〜２５ｇ、より好ましくは２０ｇ〜２４ｇ、またより好ましくは２１ｇ〜２３ｇ、あるいは約２２ｇ、あるいはこれらの組み合わせの質量を有する。また他の実施形態において、ボトルは、内容物およびエンクロージャなしで、上記プレフォームとおよそ同一の質量、すなわち１８ｇ〜２５ｇ、好ましくは１９ｇ〜２５ｇ、より好ましくは２０ｇ〜２４ｇ、またより好ましくは２１ｇ〜２３ｇ、あるいは約２２ｇ、あるいはこれらの組み合わせを有する。
【００１５】
図１は、本発明の食器洗浄剤製品（１）の一実施形態の透視図である。図２は、図１の食器洗浄剤製品（１）のボトル（３）の正面図である。図１および２両方を参照する。食器洗浄剤製品（１）は、１５０ｍｌ〜２２５ｍｌの液体食器洗浄剤組成物（示していない）を含むプラスチック容器（２）を含む。あるいは、容器（２）は、１７５ｍｌ〜２００ｍｌ、あるいは１９０ｍｌ〜２１０ｍｌ、または１５０ｍｌ〜２００ｍｌ未満、または２００ｍｌを越えて〜２２５ｍｌ、または約２００ｍｌ、またはこれらの組み合わせを含む。液体食器洗浄剤組成物は、例えば、（２０１３年１月３１日に発行された）米国特許明細書第２０１３／００２９８９５  Ａ１号明細書にて記述される。液体食器洗浄剤組成物は、１００センチポイズ（ｃｐｓ）〜１，５００ｃｐｓ、あるいは４００ｃｐｓ〜６００ｃｐｓ、あるいは９００ｃｐｓ〜１，１００ｃｐｓ、あるいはこれらの組み合わせの粘度を有して良い。粘度は、１２回転／分で回転するスピンドルを有する、ＢＲＯＯＫＦＩＥＬＤ粘度計、Ｍｏｄｅｌ  ＬＶのＮｏ．１スピンドルで測定し、周囲温度（例えば２４℃）で測定する。
【００１６】
また図１および２を参照して、容器（２）は、ボトル（３）を含み、ボトル（３）は、開口（４）を定義しているネック部分（１７）を含む。エンクロージャ（５）はボトルに付けられ、開口（４）と流体連通し、開口（４）を閉じる。開口（４）は、ボトル（３）の内部（示していない）に開く。したがって、エンクロージャ（５）はまた、ボトル（３）内に含まれる任意の内容物と流体連通する。開口（４）は、２０〜３０ｍｍ、好ましくは２２ｍｍ〜２８ｍｍ、あるいは約２６ｍｍの内径を有してよい。エンクロージャ（５）がネック部分（１７）に付けられる１つの方法は、相当するねじ切り（３９）によってである。ねじ切り（３９）は、ネック部分（１７）の外面上にあってよく、相当するねじ切りは、エンクロージャ（５）の内面上に見られて良い（示していない）。エンクロージャ（５）は、流体の締まったシールが作製されるまで、ネック部分（１７）上で、単純に回転してねじ切られる。エンクロージャ（５）は同様に、消費者によって開けられる時（そして力が容器に適用される、すなわち、ユーザーの手及び／または製品が一般に反転しているときは重量で押込みされる）に、含まれる食器洗浄剤組成物を分配するように構成された、再密封可能開口部（７）を含む。エンクロージャ（５）の１つの非限定例は、「プッシュプル」キャップである。キャップの直径は、含まれる液体洗浄剤組成物を分配するために必要な押込み力に影響を与えうる。１つの実施形態において、開口部（７）の直径は、１．５〜３．０ｍｍ、好ましくは２．０ｍｍ〜２．４ｍｍ、より好ましくは２．１〜２．３ｍｍ、または約２ｍｍ、あるいは２．２ｍｍである。エンクロージャの他の例は、「フリップトップ」キャップである。エンクロージャ（５）の直下、（エンクロージャ（５）がボトル（３）に付けられる場合）ネック部分（１７）がさらに、（好ましくは以下で考察する縦軸（１０）に対して直交する）ネック部分（１７）の外面周辺に、放射上に突き出る、ネックリング（３３）を有してよい。
【００１７】
また図１および２を参照して、容器（２）は、縦軸（１０）を有し、ボトル（３）、好ましくはエンクロージャ（５）がそれぞれ、この縦軸（１０）を中心に放射対称性を有する。放射対称性の１つの利点は、ユーザーに、均一で、潜在的に３６０度の一定したボトル押込み経験を提供することである。これは、最適な押込み経験を有するために、特定の、またはより狭く定義された領域で、ボトルを握る、ユーザーに依存しうる、両側性対称性（または他のタイプの対称性）を有するボトルとは対称的である。
【００１８】
ボトル（３）は、下基底部分（１２）、本体部分（１５）およびネック部分（１７）を有する。本体部分（１５）は、基底部分（１２）とネック部分（１７）間に挿入され、ネック部分（１７）は、エンクロージャ（５）が閉じる開口（４）を定める。基底部分（１２）は、液体食器洗浄剤製品（１）が「起立位」（すなわち非反転位置）である時に、テーブルトップまたは保存棚と接触する。ボトル（３）高さは、縦軸（１０）に沿って、（エンクロージャ（５）なしで）基底部分（１２）から開口（４）までで測定された最も長い寸法である。１つの実施形態において、ボトル（３）の高さは、１３５ｍｍ〜１６５ｍｍ、好ましくは１４０ｍｍ〜１６０ｍｍ、より好ましくは１４５ｍｍ〜１５５ｍｍ、あるいは１４７ｍｍ〜１５７ｍｍ、あるいは約１５３ｍｍ、あるいはこれらの組み合わせである。
【００１９】
周囲縦中点（４３）が、ボトル（３）の高さの半分に位置する。前記中点（４３）は、縦軸（１０）に直交するボトル周辺にある。ボトルの周囲ミッドクォーター区画（２０）は、ボトル（３）周辺の中央部から周辺方向へ四分の一である領域である。基底部分（１２）からのボトルの高さの四分の一での、縦軸（１０）に直交する底平面（５３）は、周囲ミッドクォーター区画（２０）の底境界を定義する。基底（１２）からのボトルの高さの四分の三にて、縦軸（１０）に直交する上平面（５１）が、周囲ミッドクォーター区画（２０）の上境界を定義する。周囲縦中点（４３）は、周囲ミッドクォーター区画（２０）の中間を分割する。
【００２０】
ボトル（３）の周囲ミッドクォーター区画（２０）での、ボトル（３）の壁（示していない）は、０．２ｍｍ〜０．５ｍｍ、好ましくは０．３ｍｍ〜０．４ｍｍ、より好ましくは０．３２ｍｍ〜０．３８ｍｍ、あるいは０．３３ｍｍ〜０．３７ｍｍ、あるいは約０．３５ｍｍ、あるいはこれらの組み合わせの最小厚を有する。１つの実施形態において、ボトル（３）の周囲ミッドクォーター区画（２０）での、ボトル（３）の壁は、０．３５ｍｍ〜０．６５ｍｍの平均壁厚を有し、周囲ミッドクォーター区画（２０）にてである。壁厚は、縦軸（１０）に直交して測定される。
【００２１】
種々の直径または半径寸法が、縦軸（１０）に直交して測定される。ボトル（３）の直径または半径は、容器（２）から洗浄剤組成物を分配するための押込み力に影響を与えうる。本発明の１つの態様において、ボトル（３）の最大直径は、４１ｍｍ〜６１ｍｍ、好ましくは４６ｍｍ〜５６ｍｍ、より好ましくは４７ｍｍ〜５５ｍｍ、あるいは４８ｍｍ〜５４ｍｍ、あるいは約５１ｍｍ、あるいはそれらの組み合わせである。１つの実施形態において、ボトル（３）は、ボトル（３）の本体部分（１５）で、３２ｍｍ〜５２ｍｍ、好ましくは３７ｍｍ〜４７ｍｍ、より好ましくは３９ｍｍ〜４５ｍｍ、あるいは約４２ｍｍ、あるいはこれらの組み合わせの最小直径を有する。
【００２２】
消費者テスト
日本、神戸の３０人の消費者が、２つの実験品と、１つの、申請者（すなわちＴｈｅ  Ｐｒｏｃｔｅｒ  ＆  Ｇａｍｂｌｅ  Ｃｏｍｐａｎｙ）によって日本で市販されている、ＪＯＹ（登録商標）ブランドの製品（２５０ｍｌ）を含む、３つの食器洗浄剤製品からの、所望の押込みの簡便さ（図６）および投与の簡便さの格付け（図７）に関して「親指押込み力」を評価した。実験製品には、以上で記述したようなボトルが含まれ、１つは５００センチポイズ（ｃｐｓ）洗浄剤組成物でみたし、第二のものは、１，０００ｃｐｓ洗浄剤組成物でみたした。図６および７はこれらの発見を要約している。
【００２３】
図６は、それらのハンド食器洗浄剤製品に対する、約２０ニュートン（Ｎ）の親指押込み力を一般に好む、日本の消費者パネリストからの結果を詳述する。キッチンシンク中の食器洗浄をシミュレートしている設定において、３つの製品それぞれに対して、家で実施するように、スポンジ上に食器洗浄剤製品から洗浄剤組成物を分配するように、消費者パネリストに指令が提供される。各分配のために、消費者が握り、分配するところで、食器洗浄剤製品が指紋を採られる。親指の位置から、製品を、（以下で更に詳細に記述する）図３〜５の装置を使用して、その親指押込み力（Ｎ）に関して査定し、製品の押込みの簡便さの消費者格付けと相関させる。図６において、Ｘ−軸は、消費者の格付けを表し、一方でＹ−軸は、査定した製品の親指押込み力を表す。消費者格付けのために、パネリストは、食器洗浄剤製品の「押込みの簡便さ」に対するその好みを聞かれ、そこで「０」の値はちょうど良く（すなわち最も消費者が望ましい）、−２は堅すぎ（すなわち親指押込み力があまりに高い）、＋２は柔らかすぎる（すなわち親指押込み力はあまりに低い）。３つの製品を試験しているすべての３０人の消費者の平均値を、図６のグラフ中でプロットする。図６で示唆するように、最も好ましい消費者格付け（すなわち「０」）は、約２０ニュートンの親指押込み力に相当する。
【００２４】
図７は、親指押込み力に対して、好ましい「投与の簡便さ」に関して聞かれた、３０人の消費者パネリストの発見を要約している。結果は、「１００」の最大の消費者が望む格付けがまた、２０ニュートンの親指押込み力に相当することを示唆する。先の研究と同様に、キッチンシンクにおける食器洗浄をシミュレートしている設定において、３つの製品それぞれに対して家で実施するように、スポンジ上に、洗浄剤組成物を分配するように、消費者に指令が提供される。各分配のために、消費者が握り、分配した場所で、食器洗浄剤製品が指紋を採られる。親指の位置から、製品を、図３〜５で記述した装置を用いて、その親指押込み力（Ｎ）に関して査定する。図７において、Ｘ−軸は、消費者格付け（０〜１００）を表し、ここで０が最も低い消費者好みであり、１００が最も良い消費者好みである。Ｙ−軸は、査定された製品の（親指指紋にて測定した）親指押込み力を表し、それぞれの消費者格付けに相関する。３つの製品を試験しているすべての３０人の消費者の平均値を、図７のグラフ内にプロットする。図７で例示するように、最も好ましい消費者格付け（すなわち「１００」）は、約２０ニュートンの親指押込み力に相当する。
【００２５】
消費者パネリストデータを見ると、約２０Ｎの親指押込みを有する食器洗浄剤製品が、最も好ましい「押込みの簡便さ」および「投与の簡便さ」を提供する。
【００２６】
平均親指押込み力
記述した消費者パネリストデータに基づいて、約２０Ｎの親指押込み力を提供する食器洗浄剤製品を提供することが、本発明の１つの目的である。しかしながら、未公表の調査に基づいて、多くの変数が、親指押込み力に寄与可能であることが発見される。これらの変数には、ボトルの厚さ、ボトルの半径、ボトルの総寸法（例えば容量、長さなど）が含まれてよく、潜在的には、ボトル中に含まれる液体の粘度、エンクロージャ開放、およびユーザーの親指または手の位置も含まれる。
【００２７】
本発明の１つの態様は、（より正確な試験条件を提供するために）ボトルが内容物およびエンクロージャを含まない状態で、周囲縦中点（４３）にてボトルの外面にて測定した、１５ニュートン（Ｎ）〜２２Ｎ、好ましくは１７Ｎ〜２２Ｎ、より好ましくは１８Ｎ〜２２Ｎ、またより好ましくは１９Ｎ〜２１Ｎ、あるいは約２０Ｎ、あるいはこれらの組み合わせの、親指押込み力または平均親指押込み力（「ＡＴＳＦ」、以下で更に詳細に記述される）を有する、食器洗浄剤製品のボトルを提供する。論理に束縛されることなく、ボトル構造および形状が、ユーザーの親指押込み力経験を導く有意な因子であることが信じられている。好ましい実施形態において、平均親指押込み力またはＡＴＳＦは、ボトルの（以下に定義する）周囲ミッドクォーター区画（２０）にて測定される。
【００２８】
ＡＴＳＦは、本明細書で記述した方法にしたがって、周囲縦中点と周囲ミッドクォーター区画に関して査定される。内容物およびエンクロージャを含まない、空のボトルを、引張試験装置上で試験する。試験条件は、２５℃、約６０パーセント相対湿度にて実施する。空のボトルを、これらの条件に、試験を実施する前少なくとも２４時間、平衡化させる。引張試験器の好適なブランドおよびモデル番号はＬｌｏｙｄ  Ｔｅｎｓｉｌｅ  Ｔｅｓｔｅｒである。理論に束縛されずに、空のボトルを査定することにより、（変数を削減することにより）より正確な結果が提供され、一般に、消費者ＡＴＳＦ経験の最もよい予測である。
【００２９】
図１および２を参照して、ボトル（３）の周辺ミッドクォーター区画（２０）を、ボトル（３）の寸法に基づいて指定する。ＡＴＳＦを、４つの周囲等距離位置で、ボトルの周囲縦中点（４３）に関して合計４査定、ボトル（３）の周囲ミッドクォーター区画（２０）に関して合計１２査定について査定する。例えば、ボトル（３）の試験した初期位置が０度である場合、ボトルを、第二測定のために（縦軸（１０）を中心に）９０度回転させる。第三査定を、さらに９０度（すなわち第一査定から１８０度）回転させる。最後に、最終第四査定を、再び９０度（すなわち、第一査定から２７０度）回転させる。これらの４つの査定をついで平均し、周囲縦中点（４３）でのＡＴＳＦを得る。ボトル（３）の周囲ミッドクォーター区画（２０）に関して査定したＡＴＳＦに対して、合計１２の査定に対する平均をとった。周囲縦中点データを、先に記述したようにとるが、また４つの周囲等距離位置を、上平面（５１）に沿って取り、他の４つの周囲等距離位置を、下平面（５３）に沿って取る（合計１２査定）。先に考察したように、上平面（５１）と下平面（５３）は、ボトル（３）の周囲ミッドクォーター区画（２０）の何れかの末端で境界を定める。ボトル（３）高さを、ボトル（３）に固定したエンクロージャ（５）なしで、縦軸に沿って測定する。記述したＡＴＳＦを有するボトルの周囲ミッドクォーター区画を有することの１つの利点は、定義されたＡＴＳＦを有するボトルの比較的大きな領域を有することであり、ユーザーがボトルを握り、押し圧してよい多くの可能性ある領域において、ユーザーに望む経験を提供し、ユーザーの様々な手の大きさ、および潜在的な押込みスタイルを収容することである。ボトル（３）の放射対称性がこの利点をさらに補足する。
【００３０】
図３ａ、３ｂおよび３ｃに移って、ボトル（３）を、その親指押込み力またはそのＡＴＳＦを査定するために、ジグ（２５）上に置く。ジグ（２５）は、基底ホールディング末端（２７）と、反対のネックホールディング末端（２９）を有する。ジグ（２５）は、ボトル（３）の縦軸（１０）が、レベル実験室ベンチトップ（示していない）と平行であるように、ボトル（３）を受領するように構成される。基底ホールディング末端（２７）は、凹面であり、ボトルの基底（１２）の最も近くの、ボトル（３）の外面を受領するように設計される。基底ホールディング末端（２７）の凹面は一般に、（基底（１２）に最も近い）ボトル（３）の周囲外面の半径に酷似する。例えば、これは、試験の間、ボトルが回転するのを防止するように、およそ１／１０π半径〜１／３π半径（縦軸（１０）を中心に）であってよい。同様に、ネックホールディング末端（２９）はまた、凹面であり、ボトル（３）の開口（４）に隣接するボトル（３）のネック部分（１７）のボトル（３）の外面を受領するように設計される。外ねじ山（３９）が好ましくはネックホールディング末端（２９）に接触している。ネックホールディング末端（２９）の凹面は一般に、ネック部分（１７）の外表の半径に酷似する。例えば、これは、ボトル（２）が試験の間回転するのを防止するように、（縦軸（１０）を中心に）約１π半径であってよい。
【００３１】
図４は、１０ｍｍ直径を有するローディングプローブ（３０）の例示である。ローディングプローブ（３０）の円錐末端（３１）の頂点は、ボトル（３）の周囲ミッドクォーター区画（または周囲縦中点）に接触する。円錐末端（３１）は、引張試験器（示していない）に機能的に接続している、ローディングプローブ（３０）の部分と反対である。ローディングプローブ（３０）は、レベルベンチトップに対して典型的に直角である。
【００３２】
図５は、ジグ（２５）中に受領される一方で、空のボトル（３）のＡＴＳＦ（ニュートン）を査定している引張試験器（示していない）に接続したローディングプローブ（３０）の例示である。ローディングプローブ（３０）のスピードは、３ｍｍ置換にて、１２ｍｍ／分でプログラムされる。３ｍｍ置換での最大ロードを記録する。
【００３３】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【００３４】
相互参照されるか又は関連する全ての特許又は特許出願、及び本願が優先権又はその利益を主張する任意の特許出願又は特許を含む、本願に引用される全ての文書は、特に除外すること又は限定することを明言しないかぎりにおいて、参照によってその全容にわたって本願に援用するものである。いずれの文献の引用も、こうした文献が本明細書で開示又は特許請求されるすべての発明に対する先行技術であることを容認するものではなく、あるいは、こうした文献が、単独で、又は他のすべての参照文献との任意の組み合わせにおいて、こうした発明のいずれかを教示、示唆又は開示していることを容認するものでもない。更に、本文書内の用語のいずれかの意味又は定義が、参照によって援用される文書内の同じ用語のいずれかの意味又は定義と矛盾する場合、本文書においてその用語に付与される意味又は定義が優先するものとする。
【００３５】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2018008751.tif 000003
【図２】
2018008751.tif 000004
【図３ａ】
2018008751.tif 000005
【図３ｂ】
2018008751.tif 000006
【図３ｃ】
2018008751.tif 000007
【図４】
2018008751.tif 000008
【図５】
2018008751.tif 000009
【図６】
2018008751.tif 000010
【図７】
2018008751.tif 000011
【外国語明細書】
2018008751000001.pdf